(57)【特許請求の範囲】
【請求項１】
断熱筐体で構築したキャビネット本体の基台フレームに対して、その下面周域に分散して支持脚を兼ねた複数本のレベル調整ボルトを植設し、冷蔵庫の据付け時に前記ボルトを調整操作してキャビネット本体のレベル調整を行うようにした冷蔵庫のレベリング装置において、少なくともキャビネット本体の後部側に取付けたレベル調整ボルトに対し、キャビネット本体の底壁に前記ボルトに通じる調整作業用の壁穴を開口して、庫内側から調整可能としたことを特徴とする冷蔵庫のレベリング装置。
【請求項２】
請求項１記載のレベリング装置において、キャビネット本体の基台フレームに螺合したレベル調整ボルトが、その軸部上端に工具と連結可能な係合手段を形成したボルトであることを特徴とする冷蔵庫のレベリング装置。
【請求項３】
請求項１記載のレベリング装置において、壁穴を閉塞する閉塞部材を備えたことを特徴とする冷蔵庫のレベリング装置。
【発明の詳細な説明】
【０００１】
【発明の属する技術分野】
この発明は、業務用などの大型冷蔵庫を対象した据付け用のレベリング装置に関する。
【０００２】
【従来の技術】
まず、この発明の実施対象となる大型冷蔵庫の構成，並びに据付け状態を図４に示す。図において、１は断熱筐体で構築した冷蔵庫のキャビネット本体、２はその前面扉、３はキャビネット本体１の頂部に設置した冷凍機のコンデンシングユニットであり、キャビネット本体１の底壁に重ね合わせて設けた基台フレームにはその四隅に分散して下面側に据付用支持脚を兼ねたレベル調整ボルト４を植設し、該ボルト４を介して床面上に据付けられている。
【０００３】
このレベル調整ボルト４は、別名レベリングスクリュウなどとも呼ばれ、基台フレームの四隅に下面側からねじ込んで植設されており、冷蔵庫の据付け施工時に、各ボルト４の突き出し高さを個別に調整し、据付け床面に対してキャビネット本体１が水平姿勢となるようにレベル調整を行う役目を果たす。
【０００４】
【発明が解決しようとする課題】
ところで、冷蔵庫をロケーション先で図４のように建屋の壁５に添わせて据付けた状態で、据付け床面の状況からレベリング作業を必要とする場合に、従来構造のレベリング装置では次のような作業上での問題がある。
すなわち、キャビネット本体１の前面側（扉側）に植設したレベル調整ボルト４に対してはスパナなどの工具を使ってボルトを前方から調整操作することが可能であるが、キャビネット本体の後部側，特に建屋のコーナー側に位置するレベル調整ボルトは、床面とキャビネット本体１の間の隙間が狭くて冷蔵庫の前方からでは奥まで手が届かない。しかも、業務用などの大型冷蔵庫は重量も重く、作業員の人力だけでは簡単に動かしたり，持ち上げたりすることができず、このためにレベル調整作業が極めて困難となる。
【０００５】
この発明は上記の点に鑑みなされたものであり、その目的は前記課題を解決し、冷蔵庫を所定の設置箇所に据付けた状態でも、据付け場所の条件に制約されることなく、レベル調整ボルトの調整操作がキャビネット本体の庫内側から行えるように改良した冷蔵庫のレベリング装置を提供することにある。
【０００６】
【課題を解決するための手段】
上記目的を達成するために、この発明によれば、断熱筐体で構築したキャビネット本体の基台フレームに対して、その下面周域に分散して支持脚を兼ねた複数本のレベル調整ボルトを植設し、冷蔵庫の据付け時に前記ボルトを調整操作してキャビネット本体のレベル調整を行うようにした冷蔵庫のレベリング装置において、少なくともキャビネット本体の後部側に取付けたレベル調整ボルトに対し、キャビネット本体の底壁に前記ボルトに通じる調整作業用の壁穴を開口する（請求項１）ものとし、具体的には次記のような態様で構成する。
【０００７】
（１）  キャビネット本体の基台フレームに螺合したレベル調整ボルトとして、その軸部上端に工具との連結が可能な係合手段を形成したボルトを採用する（請求項２）。
（２）壁穴を閉塞部材により閉塞する（請求項３）。
【０００８】
かかる構成により、ロケーション先で所定の場所に冷蔵庫を据付けた状態でレベリングを行う際に、冷蔵庫の前方からでは床面との間の隙間を通して手が届かない位置に並ぶキャビネット本体の後部側に位置したレベル調整ボルトに対しては、前面扉を開いて庫内に形成した壁穴を閉塞した閉塞部材を外した上で、断熱筐体の底壁に開口している壁穴からボルト操作用の工具を差し込んでレベル調整ボルトを回すことにより、キャビネット本体を所定の位置に据付けたままでもレベリング作業が簡単に行える。また、レベリング作業が終了した後は壁穴を閉塞部材により閉塞しておくことで、キャビネット本体の高い断熱性が確保できる。
【０００９】
【発明の実施の形態】
以下、この発明の実施の形態を図１〜図３で示す実施例に基づいて説明する。なお、実施例の図中で図４に対応する同一部材には同じ符号が付してある。
まず、図１において、キャビネット本体１は発泡ウレタン樹脂などの断熱材１ａを芯材とした断熱パネルで構築した断熱筐体としてなり、その底壁に結合した鋼板製の基台フレーム６にはその周縁四隅に分散して支持脚を兼ねたレベル調整ボルト４が下面側から基台６を貫通するようにねじ込み式に植設されている。また、このレベル調整ボルト４は、その軸部上端面にドライバ（ねじ操作用工具）を差し込むボルト操作用の溝４ａを形成した溝付きボルト、すなわち、工具（この実施例の場合はドライバ）と連結可能な係合手段（この実施例の場合は溝４ａ）が形成されたボルトであり、据付け床面に接する下端にはパッド状の脚片４ｂを備えている。
【００１０】
一方、キャビネット本体１の底壁には前記調整ボルト４に通じる調整作業用の壁穴１ｂが開口しており、この壁穴１ｂの周域を断熱材７で包囲するとともに、さらに壁穴１ａの上面開口部には封止用のシール８を介して断熱カバー９が着脱可能に取付けある。この断熱カバー９が壁穴１ｂを閉塞する閉塞手段を構成し、この断熱カバー９はキャップ状の板金製カバー９ａの内側に断熱材９ｂを充填してなり、カバー９ａから左右に張り出したフランジ部が止めねじ１０を介してキャビネット本体１の底壁に締結されている。なお、前記構造は、基台フレーム６の下面側周域に分散して植設した複数本のレベル調整ボルト４のうち、図２で示すように少なくともキャビネット本体１の後部側に位置するボルトについて採用しており、前部側に取付けたボルトについては在来通りの取付け構造としている。なお、シール８は必ずしも必要ではなく、特に庫内側で気密性が要求されない場合には省略してもよい。
【００１１】
上記の構成で、冷蔵庫をロケーション先に据付けた状態でレベリングを行う際には、図３で示すようにキャビネット本体１の庫内底壁上に固定してある断熱カバー９をシール８とともに取り外した上で、この部分に開口している壁穴１ａを通してレベル調整ボルト４の溝４ａにドライバ１１を差し込み、ボルト４を左右いずれかに回して据付け床面に対してキャビネット本体１の据付け姿勢が水平となるようにレベル調整を行う。なお、レベリング作業の終了後は、断熱カバー８を元に位置に戻して固定し、壁穴１ａを断熱的に塞いでおく。
【００１２】
【発明の効果】
以上述べたように、この発明の構成によれば、重量の重い大型冷蔵庫をロケーション先に据付けた際に行うレベル調整ボルトの調整作業を、据付け場所の条件に制約されることなく、庫内側から工具を使って簡単に行うことができて据付け施工の作業改善が図れる。
【図面の簡単な説明】
【図１】この発明の実施例によるレベリング装置の構成断面図
【図２】図１のレベリング装置を装備した冷蔵庫の庫内斜視図
【図３】図２でのレベリング作業状態を表す図
【図４】この発明の実施対象となる大型冷蔵庫の据付け状態を表す外観斜視図
【符号の説明】
１    キャビネット本体
１ｂ  壁穴
２    前面扉
４    レベル調整ボルト
４ａ  ボルト操作用の溝
６    基台フレーム
９    断熱カバー
１０    止めねじ
１１    ドライバ
【図１】
0003572886.tif 000002
【図２】
0003572886.tif 000003
【図３】
0003572886.tif 000004
【図４】
0003572886.tif 000005